(57)【要約】      （修正有）【課題】Ｐａｎｔｓの中心部、股上部局部（Ｐａｒｔ）のスペースに、凸部でなだらかなＰｙｒａｍｉｄのスペースを提供する。【解決手段】第１ＦＣフロント０１下にＡ〜０３は正方形中心点と次にＳｐａｃｅｐｙｒａｍｉｄ０５には正弦定理三角形８２°前立中心線は第２ＦＣフロントセンター下になだらかなＰｙｒａｍｉｄ０４（Ｚ）位置を形成してから次に新タック０２〜Ａ〜Ｚ中心部を下前に向って２ｃｍのタック０３を形成して、局部スペース凸部のなだらかな頂上を形成する。【効果】一枚布地で正方形一枚布の面積に２ヶの正弦定理三角形で人間の局部スペースのＰｙｒａｍｉｄが完成し、３Ｄ立体パンツを形成できる。【選択図】図１
2012127042.tif 000002
【特許請求の範囲】
【請求項１】
一枚の布帛布又は一枚のニット布地限定で立体形にする目的で重要な中心点を形成する。立体局部は今だに成巧していないのは人間の体は横から見ると前部と後部は同一ではない人間の面積を一枚の布地でＰａｎｔｓを曲線Ｐｙｒａｍｉｄを考え事る知恵は恥部、陰部、恥ずべき部分と考えられて人間の重要な中心点を発明する事がタブーとされていたがついに一枚の布帛布又は一枚の正方形及び長方形の中心を０１中心フロントセンターを開いて中央部を局部（陰部）Ａを基点とすると次は右ｂｉａｓ線を求める方法８２°度の正弦０２定理三角形はＡを基点とする次に左方向にＰｙｒａｍｉｄタック０３が形成を第２正弦定理三角形を求めて英字ＺはＡ基点からＰｙｒａｍｉｄタックは２ｃｍによって形成されると新フロントセンター前立中心部が出来上ると何と新ＦＣフロントセンター中心Ａの横になだらかな曲線頂上Ｐｙｒａｍｉｄ０５が出現する相対性原理の旧中心から新中心０４され奇跡のＰｙｒａｍｉｄが正方形及び長方形から限定面積から発見発明は一枚布地で局部、陰部のスペースがついに表われた、そして前身股部０６は不動で有り動す事は出来ない（物理的原則）で股の（足）元の中央部０６である縫い合せはＴ字縫い合せ（Ｔの０６）である今通常のＰａｎｔｓ欠陥縫い合せは十字縫い合せと次元が違うのは立体が一枚布で形成されているからである誤差１吋（２．５ｃｍ）は人間のボテーの前後差発見発明したから出来た限定面積でエジプトのＰｙｒａｍｉｄのスペースの発見発明にもつながる原理である方法はＰａｎｔｓの局部に新フロントセンターが正弦定理の斜め（ｂｉａｓ）線上Ｐｙｒａｍｉｄ曲線（丸み）凸部０５出現させた尻部欠陥皺で、前局部下で引き攣りで跛現象を起さない、３Ｄ立体Ｓｔｒｅｔｃｈａｂｌｅ（ストレッチ出来る）構造を一枚の面積を相対性原理の正弦定理三角形設計で考えた布地の裁断による布地の製法。
【請求項２】
図２〜（ｆ）〜（ｊ）そして図３（ａ）〜（ｂ）〜（ｃ）〜（ｄ）〜（ｆ）３Ｄポケット本発明の目的は立体形なだらかなＰｙｒａｍｉｄ  Ｓｐａｃｅ０５で立体物体を保護（ｐｒｏｔｅｃｔｉｏｎ）する目的で携帯電話機００００ｉｎｃ携帯電話のＰｏｃｋｅｔＫ立体形ポケットＫ形成する方法で２ヶｔｕｃｋで折り畳み（ｆｏｌｄ  ｕｐ）方式で一ヶＰｙｒａｍｉｄ０５凸部ポケットＫ布地で形成する事でジィーンズＰａｎｔｓ脇ポケットにの２ヶｔｕｃｋ後側に付けるので前側はタック邪魔は起す事も事も無い又ワイシャツ用も前側はタック邪魔せず脇方向凸部立体が折り畳み式に出来上る、さらにＢａｇや、椅子、自動車ｃａｒ椅子（シート）も脇付ポケットで使用中は凸部立体形で使用後は折り畳部ポケットも水洗濯掛ける事も手洗で出来る裁断方法で立体、Ｐｈｏｎｅ．Ｐｏｃｋｅｔ用衣類及びＢａｇ、Ｃａｒシート用Ｋに片手で出入出来る布地の裁断する工程とからなることを特徴とする裁断方法は携帯電話機を立体形で保護するケイタイスペースを長方形布地曲線美は正弦定理三角形縦８０°度と横７０°度。
【発明の詳細な説明】
【発明の詳細な説明】
【技術分野】
【０００１】本発明は先の特開２００８−２０８５０７号の請求項１の不足部分の織細部分を、実物写眞と実物パターンを縮小２５％製図で明らかにする、通常のＰａｎｔｓは中央部局部（Ｐａｒｔ）のスペースがまったく形成されていない為に曲線美の凸部Ｐｙｒａｍｉｄ」が必要で有はずが現実は跛こ２吋〜３吋現象の引き攣ぎ尻部現象欠陥ＰａｎｔｓＤのジィーンズ尻部三段引き攣Ｄ皴は、自動車運転中ドライバーがブレーキを踏み外す原因は３吋足がとどかないＰａｎｔｓ欠陥Ｄ表す図１〜ｄ〜ｃ〜ｆで明かである．Ｐａｎｔｓの布地の欠陥裁断方法に関する。
【背景技術】
【０００２】従来、Ｐａｎｔｓは正方形（ショートパンツ）長方形の主布地で中央部局部（Ｐａｒｔ）用凸部Ｐｙｒｍｉｄ「なだらか」で製図設計に正弦定理三角形が必要で有る事の知識が必要第一次特開２００８−２０８５０７号のパンティーホーズ実物縮小コピーで明記されているがさらに明確に表すと立体形凸部とは局部（Ｐａｒｔ）又はｇｅｎｔｌｅ  ｐｙｒａｍｉｄ．ｐａｒｔと明確に表現で通常のＰａｎｔｓの局部スペース皆無が欠陥Ｐａｎｔｓ、又は跛こ現象原因の欠陥Ｐａｎｔｓ。
【発明が解決しょうとする課題】
【０００３】  ｆｒｏｎｔ  ａｎｄ  Ｐａｃｋ  Ｉｎｃｈ  Ｍｉｓａｌｉｇｎｅｄ＝人間用にＰａｎｔｓ製造において前と後は誤差一吋説明図１  ｓｅｎｔ  ａ  ｐｏｉｒ  ｏｆ  Ｐａｎｔｓ１つまり人類で初めてＰａｎｔｓの中心部基点局部（ｐａｒｔ）を立体スペースを正方形に正弦定理三角形を用いて「Ｐａｎｔｓ一枚布で」ｆｒｏｎｔ前とｂａｃｋ後吋（２．５ｃｍ）Ｍｉｓａｌｉｇｎｅｄ誤差を発見発明した。
【課題を解決するための手段】
【０００４】前特願２００７−９８８６３（特開２００８−２０８５０７号）において、発明の請求項の基本の目的表現を明確にする方法で、凸部とかピラミッド凸部の表現を、すばり明確にすると凸部とは局部又は（Ｐａｒｔ）の凸部スペースは正弦定理三角形を用いて前ｆｒｏｎｔと後ｐａｃｋをＩｎｃｈ（２．５ｃｍ）誤差を現物設計図と写眞図で証拠で証明した。
【発明を実施するための最良の形態】
【０００５】本図１（ａ）〜（ｃ）本発明の実施の形態は特開２００８−２０８５０７号で図１（ａ）〜（ｆ）の基本の原理は正方形ショートＰａｎｔｓ、長方形ロングＰａｎｔｓの中心点は局部（ｐａｃｋ）のスペースに必要な第２中心点０４新ＦＣフロントセンターが正弦定理ｂｉａｓ点から求める原理はなだらかな新Ｐｙｒａｍｉｄが局部スペースの発見発明が証明した、人間のＰａｎｔｓの局部のＰｙｒａｍｉｄスペースは正方形中心点では出来ない、原因は本図２（ｄ）２５％縮小図で明確で第１ＦＣフロント０１下にＡ〜０３は正方形中心点と次にＳｐａｃｅ  ｐｙｒａｍｉｄ０５には正弦定理三角形８２°度前立中心線は第２ＦＣフロントセンター下になだらかなＰｙｒａｍｉｄ０４（Ｚ）位置を形成してから次に重大な革命的新タックは０２〜Ａ〜Ｚ中心部を下前に向って２ｃｍのタック０３を形成で局部スペース凸部なだらか頂上０５完成で引攣り局部やトンガリ帽子Ｐｙｒａｍｉｄのダメーヂを防ぐ為になだらか頂上０５凸部が局部のスペースを美しく形成がＰａｎｔｓの革命発明。【０００６】  図１（ｄ）〜（ｅ）〜（ｆ）は、今現在のＰａｎｔｓの通常の裁断方式図１〜（ｄ）ショートＰａｎｔを正方形から中央Ｖ中心線タックのフロントＶ削除分量で中心点０１′から上中心点Ａ′異動００２で中心点上は正弦定理三角形に変ったまゝで０７′裁断後縫製で三角の分量が少ない、さらにロングＰａｎｔｓは前中心部０６′と後身中心の尻下部三段引き攣れ皴はＤ通常のＰａｎｔｓが起るＤ跛こ現象となり、自動車ブレーキ事故起るのは３吋足がブレーキにとどかない欠陥Ｐａｎｔｓ原困事故の説明図である、Ｕ．Ｓ．事故Ｃａｒリコール・原因説明（Ｇ．Ｐａｎｔｓ）２０１０ｆｅｂ欠陥図が図１〜（ｄ）〜（ｅ）〜（ｆ）。
【実施例】
【実施例１】
【０００７】図２（ｄ）現物Ｐａｎｔｓ中央部裁断後縫製（ｃ）した完成図写眞で前中心ｆｒｏｎｔと後ｂａｃｋがＩｎｃｈ１吋誤差ＺＭｉｓａｌｉｇｎｅｄで局部凸部は、なだらかＰｙｒａｍｉｄ出現で三段皴が出来ないのが欠陥Ｐａｎｔｓ跛こ現象は起らない、証拠です。
【実施例２】
【０００８】図２〜（ｅ）〜（ｆ）〜（ｊ）及び図３〜（ａ）〜（ｂ）〜（ｃ）〜（ｄ）〜（ｆ）は００００ｉｎｃのＰｈｏｎｅ携帯向ｐｏｃｋｅｔを発明３ＤＰｙｒａｍｉｄ．ｐａｎｔｓの脇向ｐｏｃｋｅｔ現物写眞図１〜（ａ）と裁断部写眞図で図２〜（ｆ）は携帯向ポケット実物型紙製図をコピー縮小の縫代折り目Ｓｐａｃｅを明記した方法でワイシャツ（ｅ）へ（ｊ）胸ポケットで縫製した図２〜（ｅ）写眞と（ｊ）図は斜め方向縫付。
【発明の効果】
【０００９】本発明の最大の効果は従来のＰａｎｔｓは、中心部、股上部局部（Ｐａｒｔ）のスペースに凸部で、なだらかなＰｙｒａｍｉｄのスペースかまったく無いので尻部下が引き攣り現象でアメリカ国で自動車欠陥事件で、ドライバーの多くはＧ．Ｐａｎｔｓの尻部三段皴は３吋〜２吋の跛が起るとブレーキペタルに足がとどかない証拠は現在のＰａｎｔｓの重大欠陥は股上局部凸部、Ｐｙｒａｍｉｄ部無しの凹部形成で起るのは現実の局部は凸型盛り上る（ｓｗｅｌｌ）スペースを求める物理は新本発明原理はｆｒｏｎｔ  ａｎｄ  ｂａｃｋ  Ｉｎｃｈ  Ｍｉｓａｌｉｇｎｅｄ．相対性
【００１０】誤差１吋一枚の布地のＰａｎｔｓで発明１  ｓｅｎｔ  ａ  ｐａｉｒ  ｏｆ  Ｐａｎｔｓ１で人類最後のＰａｎｔｓでｅｖｏｌｕｔｉｏｎは米国特許６８００１５９Ｂ２号で正方形布地の面積での三角形の研究において、（一枚布限定）中心限定で現在のＧ  Ｐａｎｔｓは正方形布（ショートパンツ）は股上Ｖカットされているが、この一枚の正方形と後身でＶ下で局部の立体は股下部縫合せで、局部３Ｄ立体は０になるどころか、股下ねぢれがＩｎｃｈは局部３Ｄ立体無しで、起るのは当然である局部凸部は正方形の左バイアスか又は右バイアス方向に正弦定理三角形の限定なだらかＰｙｒａｍｉｄスペースを作成を考えたのが本発明で、本発明者はＳｔｒｅｔｃｈａｂｌｅ  ＣＬＯＴＨの原理もＰｏｌｙｕｒｅｔａｎｅ高分子ｆｉｂｒｅの加工糸も新ポリエステル加工糸は相対性分子発明に有る、本発明の一枚布限定で局部３Ｄスペースを発明も正方形限定で中心部を動さず三角形面積を作る事が不可能を可能にした原理がＰａｎｔｓ．ｆｒｏｎｔ  ａｎｄ  ｂａｃｋ  Ｉｎｃｈ  Ｍｉｓａｌｉｇｎｅｄを本発明は地球上で永遠に残す、それは一枚の布限定で、局部３Ｄ曲線美ｐｙｒａｍｉｄスペースＰａｎｔｓはＩｎｃｈ「ｅｒｒｏｒ」中心点はＭｉｓａｌｉｇｎｅｄ（直線になっていない）のに起る通常のＰａｎｔｓは３吋跛方向で製造された欠陥品、人間の転倒や自動車ドライバーがブレーキに足がとゞかないＰａｎｔｓ原因で２００９年アメリカでＣａｒリコール事件で本特開２００８−２０８５０７号が重大は関心で持たれている（Ｗｈｉｔｅ  Ｈｏｕｓｅ）証拠品提出２０１０年１．ｓｅｎｔ  ａ  ｐａｉｒ  ｏｆ  Ｐａｎｔ１は地球上最良にして、人間の中心の局部に立体スペースが一枚布でＰａｎｔｓが発明されて、しかも人類で初めて正方形から曲線Ｐｙｒａｍｉｄ発明をＰａｎｔｓのスペース局部に凸部形成に応用すると前後差は１吋（２．５ｃｍ）究明されたｆｒｏｎｔ  ａｎｄ  ｂａｃｋ  Ｉｎｃｈ  Ｍｉｓａｌｉｇｍｅｄ（英文請求項表現）で正方形から人間の局部３Ｄスペースがバンツ裁断方法で３Ｄ  Ｐａｎｔｓを可能とした発明効果である。
【図面の簡単な説明】
【００１１】
【図１】（ａ）〜（ｆ）は本発明の第１の一枚布Ｐａｎｔｓの一部ＦＣ前中心に３Ｄ立体曲線Ｐｙｒａｍｉｄと正弦定理三角ダーツとタック手順を模式的に説明する説明図である。
【図２】（ａ）〜（ｊ）は本発明のＰａｎｔｓの裁断された型紙と写眞のＰａｎｔｓとワイシャツ用携帯向Ｐｏｃｋｅｔの写眞説明を３Ｄ立体で曲線三角形Ｐｙｒａｍｉｄの実施例の手順を模式的に示す説明図である
【図３】（ａ）〜（ｆ）は本発明のＧ．Ｐａｎｔｓ、背広服、Ｃａｒシート及びその他のシート及びＢａＧの携帯向（Ｐｈｏｎｅ）用Ｐｏｃｋｅｔを縫い付けた３Ｄ立体Ｐｏｃｋｅｔ縫製部の手順を模式的に示す説明図である。
【符号の説明】
【００１２】  ０１−−−−−正方形及び長方形のフロントセンターの中心線
０２−−−−−通常のＰａｎｔｓのＶカット削除の分量８２°度右側
Ａ−−−−−−削除分三角形の基点の中心部と０２は正弦三角形
０３−−−−−はＡと０３は２ｃｍタック分量部を下前部方法から取る
Ｚ−−−−−−Ａから０３に下前方向に向う正弦定理三角形方向先
０４−−−−−Ａから０３とＺで出来た正弦三角形は新ＦＣ中心線
０５−−−−−Ａ〜０３〜Ｚからなる中心線上に曲線凸部ｐｙｒａｍｉｄ部
Ｔ字０６−−−−限定一枚布地でＰａｎｔｓ発明した後尻部先中心部
０７′−−−−通常のＰａｎｔｓの正方形布地で、ジッパー部三角削除下から出来た中心点が変化で出来た欠陥Ｐａｎｔｓの原因
Ａ′−−−−−は欠陥Ｐａｎｔｓが出来た０７′正弦定野の中心線の変化
十字０６′−−−そのまゝでＡ′の中心線と合致出来なくなった原因
Ｄ−−−−−−皺Ｐａｎｔｓの中心部欠陥で引き攣り跛が起る原因
００５−−−−は携帯電話向ポケットを凸部Ｐｙｒａｍｉｄ形成部山
Ｋ−−−−−−携帯布地を形成したポケット長方形布地部（Ｐｈｏｎｅ）
Ｋ１−−−−−携帯Ｐｈｏｎｅ用３Ｄ面積を表わる裁断製図折目
Ｋ２−−−−−渕携帯Ｐｈｏｎｅ用片方折目コバステッチと凸部用８０°度
Ｓ１−−−−−渕折目外側コバステッチ１〜２ｍｍミシンステッチ渕
Ｓ２−−−−−渕内側折目コバステッチ１〜２ｍｍスプリングステッチ
【図１】
2012127042.tif 000003
【図２】
2012127042.tif 000004
【図３】
2012127042.tif 000005